(57)【要約】【課題】降雨があった場合、茶葉の表面が濡れているので、茶葉を収容する茶袋も濡れて重くなり、摘採が困難となる。濡れた茶葉は露葉と呼び、乾燥作業を主とする製茶工程では時間が長く掛り、能率が落ちると共に品質も低下する。この為、一般的には茶葉が乾くのを待って、摘採をしなければならないことである。【解決手段】前記課題を解決するために、請求項１記載の発明では、茶畝を挟んだ２本の無限軌道式の走行装置、又は茶畝を挟んで敷設された２本のレール上を走行する走行装置を門型枠でつなぎ、門型枠の下方に摘採装置を設け、摘採装置に茶袋を接続して、茶畝に沿って走行しながら茶葉を摘採する走行型茶葉摘採機において、機体前方に茶樹の表面を吹き払う送風管を設置するという手段を用いる。【選択図】図１
2010148519.tif 000002
【特許請求の範囲】
【請求項１】
茶畝を挟んだ２本の無限軌道式の走行装置、又は茶畝を挟んで敷設された２本のレール上を走行する走行装置を門型枠でつなぎ、門型枠の下方に摘採装置を設け、摘採装置に茶袋を接続して、茶畝に沿って走行しながら茶葉を摘採する走行型茶葉摘採機において、機体前方に茶樹の表面を吹き払う送風管を設置したことを特徴とした露払い用の走行型茶葉摘採機。
【請求項２】
請求項１記載の走行型茶葉摘採機において、機体前方の送風管と機体に設けた送風ファンをつなぐフレキシブルホースの脱着具を脱着自在としたことを特徴とした露払い用の走行型茶葉摘採機。
【請求項３】
請求項１または２記載の走行型茶葉摘採機において、摘採装置を構成する多数の吹出枝管を持つ送風管を移動させて、吹出枝管の吹き出し方向を刈刃面からはずし、茶樹の表面に向くように設置したことを特徴とした露払い用の走行型茶葉摘採機。
【発明の詳細な説明】
【技術分野】
【０００１】
この発明は、茶畝に沿って走行しながら茶葉を摘採する走行型茶葉摘採機に関するものである。  
【背景技術】
【０００２】
走行型茶葉摘採機のうち、茶畝を挟んだ２本の無限軌道式の走行装置によって走行するものとしては、特開平１０−２６２４３６のような機体に作業者が乗って運転するものがある。また、茶畝を挟んだ２本のレール上を走行するものとしては、特開平７−１１５８２６に示すようなものがある。
【先行技術文献】
【特許文献】
【０００３】
【特許文献１】特開平１０−２６２４３６号公報
【特許文献２】特開平７−１１５８２６号公報
【発明の概要】
【発明が解決しようとする課題】
【０００４】
降雨があった場合、茶葉の表面が濡れているので、茶葉を収容する茶袋も濡れて重くなり、摘採が困難となる。濡れた茶葉は露葉と呼び、乾燥作業を主とする製茶工程では時間が長く掛り、能率が落ちると共に品質も低下する。この為、一般的には茶葉が乾くのを待って、摘採をしなければならないことである。
【課題を解決するための手段】
【０００５】
前記課題を解決するために、請求項１記載の発明では、茶畝を挟んだ２本の無限軌道式の走行装置、又は茶畝を挟んで敷設された２本のレール上を走行する走行装置を門型枠でつなぎ、門型枠の下方に摘採装置を設け、摘採装置に茶袋を接続して、茶畝に沿って走行しながら茶葉を摘採する走行型茶葉摘採機において、機体前方に茶樹の表面を吹き払う送風管を設置するという手段を用いる。別途、送風ファンをつけた送風管を機体前方に設置すれば、これによって、茶樹の表面に付着している露を吹き飛ばすことができる。また、露を吹き払いながら同時に摘採作業を行って走行させることも出来る。
【０００６】
請求項２記載の発明では、請求項１記載の走行型茶葉摘採機において、機体前方の送風管と機体に設けた送風ファンをつなぐフレキシブルホースの脱着具を脱着自在とするという手段をとる。このようにして、茶畝に沿って走行すれば、露払い用に設けた送風管から茶樹の表面へ風を吹き付け、茶葉の表面に付着している露を吹き飛ばすことが出来る。
【０００７】
また、前記課題を解決するための別の手段として、請求項３記載の発明では、請求項１または２記載の走行型茶葉摘採機において、摘採装置を構成する多数の吹出枝管を持つ送風管を移動させて、吹出枝管の吹き出し方向を刈刃面からはずし、茶樹の表面に向くように設置するという手段を用いる。摘採装置の送風管の吹出枝管は、摘採作業時、刈刃の上に吹くようにセットされており、直接茶樹の表面へ風を当てることはない。送風管の吹出枝管からの吹出方向を変え、直接茶樹の表面に当てるようにして走行すれば、茶葉に付着した露を吹き払うことが出来る。
【発明の効果】
【０００８】
請求項２記載の実施例のように、露払い用のダクトと接続すれば、摘採用のファンを露払い用として用いることが可能となり、経済的である。請求項３記載の実施例では、茶葉表面の露払い用とし、摘採用の送風ダクトの位置を少し変えるだけで、露払い作業が出来るので、降雨後でもすぐに摘採が出来る。請求項１記載の実施例では、露払い用の送風ダクトを追加することで露払いと摘採作業を同時に行うことが出来るので、摘採の能率を上げることが出来る。雨が濡れたままの茶葉を摘採すると、茶袋も重く、摘採作業も困難であり、製茶工場で加工しても能率が上がらず、製品の品質も悪くなる。以下請求項１、２、３の実施例のように、露払いをすれば、摘採作業と製茶加工の能率を上げることができ、加工製品の品質を向上させることが出来る。
【図面の簡単な説明】
【０００９】
【図１】無限軌道の走行装置によって、走行する走行型茶葉摘採機の側面図。
【図２】図１の平面図。
【図３】図１の正面図。
【図４】摘採装置の実施例を示す説明図。
【図５】送風管とフレキシブルホースの脱着関係を示す説明図。
【図６】図５の平面図。
【図７】整枝用の走行型茶葉摘採機。
【図８】図７の後正面図。
【図９】請求項２記載の露払い用の走行型茶葉摘採機。
【図１０】請求項３記載の露払い用の走行型茶葉摘採機の実施例１。
【図１１】請求項３記載の露払い用の走行型茶葉摘採機の実施例２。
【図１２】請求項１記載の露払い用の走行型茶葉摘採機。
【図１３】図１２の平面図。
【発明を実施するための形態】
【００１０】
この発明の走行型茶葉摘採機として、無限軌道式の走行装置によって、直接大地に接して走るものと、茶畝に敷設したレール上を走る走行装置によるものがある。この発明に関しては、走行装置はどちらであっても同じであるので、以下、無限軌道式の走行装置を有する走行型茶葉摘採機を実施例として実施の形態を説明する。
【００１１】
図１は走行型茶葉摘採機の側面図、図２は平面図、図３は正面図である。１、２は無限軌道式の走行装置であり、茶畝３を挟んでその両側を走行する。左右の走行装置は門型枠４によりつながっている。門型枠４の下には、刈刃１１が摘採装置のガイド枠１２に取り付けられて、設置されている。門型枠４の上には、送風ファン９が設けてあり、刈刃１１の前方に設けた送風管１０とフレキシブルホース１３でつながれている。送風ファン９の風は送風管１０に付いている多数の吹出枝管１６から刈刃１１の上へ吹き付けられる。ガイド枠１２の後には、茶袋１５を取り付けて摘採する。茶袋１５は茶袋保持板１４で保持する。
【００１２】
本発明とは別の実施例について、図４に従って説明する。刈刃１１の後方には、やや上方へ傾斜した底板１７と底板１８が接続している。刈刃１１の左右には、ガイド枠側板２０が設けてある。ガイド枠側板２０の後上部は、袋保持具２１を取り付けた桁でつながっている。底板１７とガイド枠側板２０には、請求項１記載の滑りやすい非粘着性の被膜による塗装としてテフロン（登録商標）コーティングがしてある。又、底板１７の後部は、屈曲部１９を設けて上方に曲げてある。ガイド枠側板２０の前部には、吹出枝管１６の付いた送風管１０が設けてあり、摘採装置を構成している。ガイド枠１２に続いて、茶袋保持板１４が設けてある。
【００１３】
次に作業手順を説明する。まず作業者は茶袋１５を袋保持具２１にセットする。茶袋１５の開口部にはゴムひもがつけてあり、茶袋１５の下側を底板１７の下へ差し込む。このとき、屈曲部１９が設けてあるので、容易に袋を差し込むことが出来る。次いで、ガイド枠１２の左右外側と、上側に設けてある袋保持具２１に引っかける。茶袋１５の後は、茶袋保持板１４の上へ長く伸ばしておく。送風ファン９を廻すと、吹出枝管１６から刈刃１１上へ空気が噴出し、底板１７上を通って、屈曲部１９で向きを変え上方へ吹き上げ、茶袋１５を丸く膨らまし、摘採した茶葉３５を収容しやすくする。刈刃１１を動かして、機体をゆっくりと前進させると、摘採された茶葉３５は、吹出枝管１６から噴出す空気に飛ばされて、茶袋１５内へ収容される。屈曲部１９によって、上方へ吹き飛ばされるので、茶袋１５の一番奥まで飛ばすことが出来る。茶葉３５が茶袋１５の底側へだんだんたまってくるが、屈曲部１９により上側を飛ばされるので、底側にたまった茶葉に邪魔されることなく、茶袋１５の全体へ均一に収容される。ガイド枠側板２０と底板１７には、テフロン（登録商標）コーティングにより茶葉の摩擦を少なくしてあるので、茶葉は弱い風でもうまく滑っていく。又、テフロン（登録商標）コーティングは茶渋が付着するのを防ぐ効果がある。
【００１４】
本発明とは別の実施例を図５、６に従って説明する。図５、６にフレキシブルホース１３と送風管１０の接続部３７の詳細を示す。フレキシブルホース１３の先端には、接続フランジ３６を設ける。送風管１０側にも接続フランジ３８を設ける。３９はパッキンである。送風管側のフランジ３８とフレキシブルホース側のフランジ３８をパッキン３９を介して接合し、押え具２３、引っ掛け金具２２によって、脱着する。
【００１５】
本発明とは別の実施例を図７、８に従って説明する。フレキシブルホース１３と送風管１０の接続部３７をはずし、整枝用ホース２４と接続する。整枝用ホース２４の先端には、吹出ノズル２５が設けてある。機体後部に整枝用刈刃２６を取り付ける。整枝用刈刃２６は枝を切るために、摘採用刈刃１１より丈夫に出来ていて、別に設けたエンジン２７により駆動する。刈刃２６は茶袋保持板１４に支持棒２８を取り付けて、支持棒２８に取り付けたブラケット２９を介して保持する。吹出ノズル２５も支持腕３０により支持棒２８に固定する。茶袋保持板１４は上下調節可能となっているので、茶袋保持板１４を上下させ、整枝用刈刃２６を整枝したい高さにあわせる。エンジン２７を起動させて、刈刃２６を動かし、送風ファン９を廻してノズル２５から刈刃２６の上へ空気を吹き付けながら、ゆっくりと機体を前進させる。刈り取られた枝は、ノズル２５から吹き出す強風によって、左右へ吹き飛ばされる。このようにして整枝作業を行う。
【００１６】
請求項１記載の発明の実施例を図１２、１３によって説明する。図１２、１３では、機体の前方に露払い用の送風管３２を取り付ける。送風管３２には、吹出用枝管３３が前方へ吹き出すように付いている。又、この送風管３２にはエンジンファン３４が取り付けてある。この送風管３２は機体へ脱着自在とし、茶葉が濡れているときはこれを取り付け、エンジンファン３４を廻して茶葉の露払いをしながら、同時に摘採作業を行うことが出来る。
【００１７】
請求項２記載の発明の実施例を図９によって説明する。雨が降って、茶葉の表面が濡れている場合、送風管１０の前へ露払い用送風管３１を設ける。フレキシブルホース１３を脱着自在にしてある接続部３７ではずし、露払い用送風管３１に接続する。露払い用送風管３１から強風を茶葉表面へ吹き付けながら、機体を前進させて、露払いを行う。
【００１８】
請求項３記載の発明の実施例について、図１０、１１により説明する。吹出枝管１６から吹き出す風は摘採された茶葉を吹き飛ばすために設けてあるので、刈刃１１の下側へ吹き出すことはない。図１０の実施例では、送風管１０を少し回動させて、吹出枝管１６を１６’位置まで持っていき、直接茶葉４０の上に吹き付けるようにする。図１１の実施例では、送風管１０の位置を前方下側へ移動させて、１０’の位置とし、やはり直接茶葉の上に吹き付けるようにする。上記のように、送風管１０を移動させ、刈刃１１が茶葉４０に当たらないように上にあげ、送風ファン９を廻して茶葉表面へ強風を当てて、露払いをしながら機体を前進させる。
【符号の説明】
【００１９】
１  走行装置
２  走行装置
３  茶畝
４  門型枠
５  エンジン
６  座席
７  運転席
８  ハンドル
９  送風ファン
１０、１０’  送風管
１１  刈刃
１２  ガイド枠
１３  フレキシブルホース
１４  茶袋保持板
１５  茶袋
１６、１６’  吹出枝管
１７  底板
１８  底板
１９  屈曲部
２０  ガイド枠側板
２１  袋保持具
２２  引っ掛け金具
２３  押え具
２４  整枝用ホース
２５  吹出ノズル
２６  整枝用刈刃
２７  エンジン
２８  支持棒
２９  ブラケット
３０  支持腕
３１  露払い用の送風管
３２  露払い用の送風管
３３  吹出用枝管
３４  エンジンファン
３５  茶葉
３６  接続フランジ
３７  接続部
３８  接続フランジ
３９  パッキン
４０  茶葉
【図１】
2010148519.tif 000003
【図２】
2010148519.tif 000004
【図３】
2010148519.tif 000005
【図４】
2010148519.tif 000006
【図５】
2010148519.tif 000007
【図６】
2010148519.tif 000008
【図７】
2010148519.tif 000009
【図８】
2010148519.tif 000010
【図９】
2010148519.tif 000011
【図１０】
2010148519.tif 000012
【図１１】
2010148519.tif 000013
【図１２】
2010148519.tif 000014
【図１３】
2010148519.tif 000015